(57)【要約】      （修正有）【課題】フローティングタイプのリムーバブルハードディスクを採用する場合にもライトプロテクトの指示部材を確実に検出できるハードディスク記録装置を提供する。【解決手段】ハードディスク記録装置１のライトプロテクト検出機構２１は、リムーバブルハードディスク３の外側ケース９の外面に設けられた指示部材であるＷＰタブ１９を検出する。ライトプロテクト検出機構２１はコネクタ基板１７に備えられる。ライトプロテクト検出機構２１は、タブ側２７からコネクタ基板１７を貫通して背面側２９まで延びた貫通プッシュピン２３と、貫通プッシュピン２３の動作をコネクタ基板１７の背面側２９で検出する背面検出機構２５とを備える。背面側２９の広い空間に背面検出機構２５を設けるので、貫通プッシュピン２３のストロークを大きくでき、ＷＰタブ１９の大きな位置誤差に対処できる。【選択図】図１
2008090949.tif 000002
【特許請求の範囲】
【請求項１】
ハードディスク本体をフローティング状態で外側ケース内に収納したリムーバブルハードディスクを記録対象としたハードディスク記録装置であって、
前記外側ケースを固定状態で装着するディスク装着部と、
前記ディスク装着部に装着された前記外側ケースの一の外面と対向して設けられ、前記ハードディスク本体のディスク側コネクタと接続される接続コネクタを支持するコネクタ支持部材と、
前記コネクタ支持部材に設けられ、前記ディスク側コネクタの近傍にて前記外側ケースの前記一の外面に備えられたライトプロテクトの指示部材を検出するライトプロテクト検出機構とを備え、
前記ライトプロテクト検出機構は、
前記指示部材に押されて移動するように配置され、前記指示部材側から前記コネクタ支持部材を貫通して背面側まで延びた貫通プッシュ部材と、
前記コネクタ支持部材の前記背面側に備えられ、前記貫通プッシュ部材の移動動作を前記背面側にて検出する背面検出機構と、
を備えることを特徴とするハードディスク記録装置。
【請求項２】
前記背面検出機構は、プッシュスイッチと、前記貫通プッシュ部材の移動動作を前記プッシュスイッチに伝達するてこ機構とを有し、前記てこ機構のてこ比は、前記貫通プッシュ部材のストロークを縮小して前記プッシュスイッチに伝達するように設定されていることを特徴とする請求項１に記載のハードディスク記録装置。
【請求項３】
前記貫通プッシュ部材のストロークと前記てこ機構のてこ比は、前記貫通プッシュ部材と前記指示部材の相対的な位置誤差よりも前記ストロークが大きく、かつ、前記貫通プッシュ部材と前記指示部材が最も近接した状態および最も隔離した状態にそれぞれ対応する前記貫通プッシュ部材のストローク最大値およびストローク最小値が前記てこ比に応じて縮小されて前記プッシュスイッチの許容ストローク範囲に入るように設定されていることを特徴とする請求項２に記載のハードディスク記録装置。
【請求項４】
前記背面検出機構は、前記貫通プッシュ部材に連結され、前記背面側にて前記貫通プッシュ部材と共に移動動作を行う遮光レバーと、前記遮光レバーの移動動作を検出するフォトインタラプタとを備えたことを特徴とする請求項１に記載のハードディスク記録装置。
【請求項５】
前記貫通プッシュ部材のストロークは、前記貫通プッシュ部材と前記指示部材の相対的な位置誤差よりも大きく、かつ、前記貫通プッシュ部材と前記指示部材が最も隔離した状態に対応するストローク最小値が前記フォトインタラプタで検出可能な最小移動量以上になるように設定されていることを特徴とする請求項４に記載のハードディスク記録装置。
【請求項６】
前記背面検出機構は、前記貫通プッシュ部材に磁石ホールドレバーで連結され、前記背面側にて前記貫通プッシュ部材と共に移動動作を行う磁石と、前記磁石の移動動作を検出する磁気センサとを備えたことを特徴とする請求項１に記載のハードディスク記録装置。
【請求項７】
前記貫通プッシュ部材のストロークは、前記貫通プッシュ部材と前記指示部材の相対的な位置誤差よりも大きく、かつ、前記貫通プッシュ部材と前記指示部材が最も隔離した状態に対応するストローク最小値が前記磁気センサで検出可能な最小移動量以上になるように設定されていることを特徴とする請求項６に記載のハードディスク記録装置。
【請求項８】
ハードディスク本体をフローティング状態で外側ケース内に収納したリムーバブルハードディスクを記録対象としたハードディスク記録装置であって、
前記外側ケースを固定状態で装着するディスク装着部と、
前記ディスク装着部に前記外側ケースが装着された状態で前記外側ケースに収納された前記ハードディスク本体に接続される接続コネクタを支持するコネクタ支持部材と、
前記コネクタ支持部材に設けられ、前記外側ケースに備えられたライトプロテクトの指示部材を検出するライトプロテクト検出機構とを備え、
前記ライトプロテクト検出機構は、
前記指示部材に押されて移動するように配置されたプッシュ部材と、
前記コネクタ支持部材に備えられたプッシュスイッチと、
前記プッシュ部材の移動動作を前記プッシュスイッチに伝達するてこ機構とを有し、
前記てこ機構のてこ比は、前記プッシュ部材のストロークを縮小して前記プッシュスイッチに伝達するように設定されていることを特徴とするハードディスク記録装置。
【請求項９】
前記プッシュ部材のストロークと前記てこ機構のてこ比は、前記プッシュ部材と前記指示部材の相対的な位置誤差よりも前記ストロークが大きく、かつ、前記プッシュ部材と前記指示部材が最も近接した状態および最も隔離した状態にそれぞれ対応する前記プッシュ部材のストローク最大値およびストローク最小値が前記てこ比に応じて縮小されて前記プッシュスイッチの許容ストローク範囲に入るように設定されていることを特徴とする請求項８に記載のハードディスク記録装置。
【発明の詳細な説明】
【技術分野】
【０００１】
本発明は、リムーバブルハードディスクを記録対象としたハードディスク記録装置に関し、特に、リムーバブルハードディスクのライトプロテクト機構に関する。
【背景技術】
【０００２】
従来より、リムーバブルハードディスクを記録対象としたハードディスク記録装置が提案されている。リムーバブルハードディスクは、容易に取り外すことができ、持ち運びや交換に適したハードディスクである。ハードディスク記録装置は、例えば、画像記録装置として実現される。
【０００３】
リムーバブルハードディスクは交換等が容易なので、フレキシブルディスク等の他の媒体と同様に、データを誤って書き込んでしまうのを防止する必要がある。こうした観点から、リムーバブルハードディスクにも、フレキシブルディスク等の他の媒体と同様に、ライトプロテクト機構を設けることが提案されている。
【０００４】
ライトプロテクト機構としては、リムーバブルディスクの外表面にタブ等の指示部材が設けられ、ハードディスク記録装置側に指示部材の検出機構が設けられる。
【０００５】
例えば、指示部材はスライド可能なタブ（以下、ＷＰタブという）で構成され、書込許可位置と書込禁止位置の間でスライドする。ハードディスク装置にはタブ検出機構が備えられる。タブ検出機構はＷＰタブに押されるプッシュピンと、プッシュピンに押されるプッシュスイッチで構成される。そして、タブ検出機構は、ＷＰタブが書込禁止位置と書込許可位置のどちらかに位置するときのみＷＰタブを検出する。ハードディスク記録装置は、タブ検出機構がＷＰタブを検出するか否かによってＷＰタブの位置を判断し、書込禁止／許可の制御を行うことができる。
【０００６】
リムーバブルハードディスクのライトプロテクト機構については、例えば、特許文献１、２に開示されている。
【０００７】
ところで、リムーバブルハードディスクは持ち運ばれる機会が多く、落下により衝撃が加わる可能性もある。この点を考慮して、フローティングタイプのリムーバブルハードディスクが提案されている。フローティングタイプのリムーバブルハードディスクでは、ハードディスク本体がフローティング状態で緩衝用の外側ケース内に収納される。フローティング構造は、外側ケースの内面とハードディスク本体の間に配置されたラバー等の緩衝材によって実現される。
【特許文献１】特開平６−９０４２７号公報
【特許文献２】特開２００１−２９１３１２号公報
【発明の開示】
【発明が解決しようとする課題】
【０００８】
しかしながら、従来のハードディスク記録装置は、リムーバブルハードディスクがフローティングタイプである場合に、以下に説明するように、ライトプロテクトのための指示部材を確実に検出するのが容易でない場合があるという問題がある。
【０００９】
図１６は、フローティングタイプのリムーバブルハードディスクの例を示している。リムーバブルハードディスク１０１は外側ケース１０３を有し、外側ケース１０３はハードディスク本体（図示せず）を収容している。外側ケース１０３の一の外面１０５からは、ハードディスク本体のディスク側コネクタ１０７が露出している。ディスク側コネクタ１０７は、ハードディスク記録装置側の接続コネクタと接続される。ライトプロテクト用の指示部材としては、スライド可能なＷＰタブ１０９が、ディスク側コネクタ１０７の近傍にて、外側ケース１０３の外面１０５に備えられている。
【００１０】
図１７は、ハードディスク記録装置に装着された状態のリムーバブルハードディスク１０１を模式的に示している。図１７に示すように、外側ケース１０３には、ハードディスク本体１１１が収容されている。ハードディスク本体１１１は、ラバー等の緩衝材１１３によりフローティング状態で保持されている。ハードディスク本体１１１のディスク側コネクタ１０７はハードディスク記録装置側の接続コネクタ１１５と接続されており、接続コネクタ１１５は、コネクタ支持部材であるコネクタ基板１１７に支持されている。このコネクタ基板１１７は、図示のように、外側ケース１０３の外面１０５と対向している。
【００１１】
図１７の例では、ＷＰタブ１０９がコネクタ基板１１７と対向している。したがって、従来技術を適用した場合、タブ検出機構１１９が、図示のように、コネクタ基板１１７上であって、ＷＰタブ１０９とコネクタ基板１１７の隙間に配置される。しかし、この場合、以下のような問題がある。
【００１２】
図１７の構成では、ＷＰタブ１０９は、外側ケース１０３に備えられており、外側ケース１０３と共に固定されている。これに対して、タブ検出機構１１９は、コネクタ基板１１７上に備えられ、ハードディスク本体１１１、接続コネクタ１１５およびコネクタ基板１１７と共にフローティング状態にある。したがって、ＷＰタブ１０９とタブ検出機構１１９がフローティングの関係にあり、そのため、ＷＰタブ１０９とタブ検出機構１１９との間の相対的な位置誤差が大きくなる。ここでは、上記の位置誤差を、タブ位置誤差と呼ぶ（絶対的な位置誤差が大きいのはフローティング状態にあるタブ検出機構１１９であるが、問題になるのはタブ検出機構１１９に対するＷＰタブ１０９の相対的な位置なので、ここではタブ位置誤差という用語を用いる）。
【００１３】
タブ位置誤差が大きいと、ＷＰタブ１０９がタブ検出機構１１９に近かったり、遠かったりして、それらの距離のばらつきが大きくなる。そして、ＷＰタブ１０９がタブ検出機構から遠くにあるためにＷＰタブ１０９にタブ検出機構１１９が接触できないと、ＷＰタブ１０９を検出できない。
【００１４】
このような事態は避ける必要があり、そのためには、タブ検出機構１１９のサイズを大きくすることが有効である。例えば、タブ検出機構１１９が、ＷＰタブ１０９に押されるプッシュピンと、プッシュピンに押されるコネクタ基板１１７上のプッシュスイッチで構成されるとする。この場合、タブ位置誤差が大きくてもＷＰタブ１０９とプッシュピンを確実に接触させるためには、プッシュピンのストロークを大きくすればよい。
【００１５】
しかしながら、タブ検出機構１０９の設置位置が上述のようにコネクタ支持基板１１７と外側ケース１０３の隙間であると、隙間の大きさによりタブ検出機構１１９のサイズが制約され、タブ検出機構１１９のサイズを大きくするのは容易でない。
【００１６】
さらには、上記の例で仮にプッシュピンのストロークを大きくできたとしても、さらなる問題がある。すなわち、プッシュピンに押されるプッシュスイッチは、基板への実装等により備えられる小型の部品であり、プッシュスイッチには許容ストローク範囲が予め決められており、この許容ストローク範囲は一般に狭く、タブ位置誤差と同等以下である。そのため、単純にプッシュピンのストロークを大きくすると、プッシュスイッチの許容ストローク範囲から外れてしまい、プッシュスイッチが正しく機能しなくなるという問題がある。
【００１７】
以上に説明したように、従来は、フローティングタイプのリムーバブルハードディスクを採用する場合に、タブ等の指示部材の位置誤差が大きくなるにも拘わらず、指示部材の検出機構を単純に大きくすることが難しく、そのために指示部材の検出を確実に行うことが容易でなかった。
【００１８】
本発明は、従来の問題を解決するためになされたもので、その目的は、フローティングタイプのリムーバブルハードディスクを採用する場合にもライトプロテクトの指示部材を確実に検出することのできるハードディスク記録装置を提供することにある。
【課題を解決するための手段】
【００１９】
本発明のハードディスク記録装置は、ハードディスク本体をフローティング状態で外側ケース内に収納したリムーバブルハードディスクを記録対象としたハードディスク記録装置であって、前記外側ケースを固定状態で装着するディスク装着部と、前記ディスク装着部に装着された前記外側ケースの一の外面と対向して設けられ、前記ハードディスク本体のディスク側コネクタと接続される接続コネクタを支持するコネクタ支持部材と、前記コネクタ支持部材に設けられ、前記ディスク側コネクタの近傍にて前記外側ケースの前記一の外面に備えられたライトプロテクトの指示部材を検出するライトプロテクト検出機構とを備え、前記ライトプロテクト検出機構は、前記指示部材に押されて移動するように配置され、前記指示部材側から前記コネクタ支持部材を貫通して背面側まで延びた貫通プッシュ部材と、前記コネクタ支持部材の前記背面側に備えられ、前記貫通プッシュ部材の移動動作を前記背面側にて検出する背面検出機構とを備える。
【００２０】
この構成により、ライトプロテクトの指示部材に押される貫通プッシュ部材がコネクタ支持部材を貫通して設けられ、そして、コネクタ指示部材の背面側に配置された背面検出機構により貫通プッシュ部材の移動動作が検出される。このようにして、コネクタ支持部材とリムーバブルハードディスクの間の狭い隙間でなく、コネクタ支持部材の背面側の空間を利用して指示部材の検出機構が備えられる。これにより、指示部材の検出機構のサイズを大きくでき、フローティングタイプのリムーバブルハードディスクで指示部材の位置誤差が大きくても指示部材を確実に検出することが可能になる。
【００２１】
また、本発明のハードディスク記録装置において、前記背面検出機構は、プッシュスイッチと、前記貫通プッシュ部材の移動動作を前記プッシュスイッチに伝達するてこ機構とを有し、前記てこ機構のてこ比は、前記貫通プッシュ部材のストロークを縮小して前記プッシュスイッチに伝達するように設定されている。
【００２２】
この構成により、プッシュスイッチに加えて、てこ機構を利用して貫通プッシュ部材の移動が検出される。てこ機構のてこ比が、貫通プッシュ部材の移動量を縮小してプッシュスイッチに伝達するように設定されるので、てこ機構の入力側のストロークより出力側のストロークが小さくなる。したがって、指示部材の位置誤差に対応するために貫通プッシュ部材のストロークが大きく設定されていても、てこ機構の出力側のストロークをプッシュスイッチの小さな許容ストローク範囲に入れることができる。これにより、フローティングタイプのリムーバブルハードディスクを採用する場合にもライトプロテクトの指示部材を確実に検出することができる。
【００２３】
また、本発明のハードディスク記録装置において、前記貫通プッシュ部材のストロークと前記てこ機構のてこ比は、前記貫通プッシュ部材と前記指示部材の相対的な位置誤差よりも前記ストロークが大きく、かつ、前記貫通プッシュ部材と前記指示部材が最も近接した状態および最も隔離した状態にそれぞれ対応する前記貫通プッシュ部材のストローク最大値およびストローク最小値が前記てこ比に応じて縮小されて前記プッシュスイッチの許容ストローク範囲に入るように設定されている。
【００２４】
この構成により、指示部材の位置誤差が大きくても指示部材と貫通プッシュ部材を確実に接触させることができる。そして、上記の確実な接触のために貫通プッシュ部材のストロークが大きく設定されていても、てこ機構の出力側のストロークをプッシュスイッチの小さな許容ストローク範囲に入れることができる。こうして、フローティングタイプのリムーバブルハードディスクを採用する場合にもライトプロテクトの指示部材を確実に検出することができる。
【００２５】
また、本発明のハードディスク記録装置において、前記背面検出機構は、前記貫通プッシュ部材に連結され、前記背面側にて前記貫通プッシュ部材と共に移動動作を行う遮光レバーと、前記遮光レバーの移動動作を検出するフォトインタラプタとを備えている。
【００２６】
この構成により、遮光レバーとフォトインタラプタを利用して貫通プッシュ部材の移動が検出される。遮光レバーのストロークが大きくても、フォトインタラプタは遮光レバーの移動を検出できる。したがって、指示部材の位置誤差に対応するために貫通プッシュ部材のストロークが大きく設定されていても、貫通プッシュ部材と一緒に動く遮光レバーの移動を検出できる。これにより、フローティングタイプのリムーバブルハードディスクを採用する場合にもライトプロテクトの指示部材を確実に検出することができる。
【００２７】
また、本発明のハードディスク記録装置において、前記貫通プッシュ部材のストロークは、前記貫通プッシュ部材と前記指示部材の相対的な位置誤差よりも大きく、かつ、前記貫通プッシュ部材と前記指示部材が最も隔離した状態に対応するストローク最小値が前記フォトインタラプタで検出可能な最小移動量以上になるように設定されている。
【００２８】
この構成により、指示部材の位置誤差が大きくても指示部材と貫通プッシュ部材を確実に接触させることができる。そして、貫通プッシュ部材と一緒に動く遮光レバーの移動をフォトインタラプタで検出できる。こうして、フローティングタイプのリムーバブルハードディスクを採用する場合にもライトプロテクトの指示部材を確実に検出することができる。
【００２９】
また、本発明のハードディスク記録装置において、前記背面検出機構は、前記貫通プッシュ部材に磁石ホールドレバーで連結され、前記背面側にて前記貫通プッシュ部材と共に移動動作を行う磁石と、前記磁石の移動動作を検出する磁気センサとを備えている。
【００３０】
この構成により、磁石と磁気センサを利用して貫通プッシュ部材の移動が検出される。磁気センサは例えばホール素子である。磁石のストロークが大きくても、磁気センサは磁石の移動を検出できる。したがって、指示部材の位置誤差に対応するために貫通プッシュ部材のストロークが大きく設定されていても、貫通プッシュ部材と一緒に動く磁石の移動を検出できる。これにより、フローティングタイプのリムーバブルハードディスクを採用する場合にもライトプロテクトの指示部材を確実に検出することができる。
【００３１】
また、本発明のハードディスク記録装置において、前記貫通プッシュ部材のストロークは、前記貫通プッシュ部材と前記指示部材の相対的な位置誤差よりも大きく、かつ、前記貫通プッシュ部材と前記指示部材が最も隔離した状態に対応するストローク最小値が前記磁気センサで検出可能な最小移動量以上になるように設定されている。
【００３２】
この構成により、指示部材の位置誤差が大きくても指示部材と貫通プッシュ部材を確実に接触させることができる。そして、貫通プッシュ部材と一緒に動く磁石の移動を磁気センサで検出できる。こうして、フローティングタイプのリムーバブルハードディスクを採用する場合にもライトプロテクトの指示部材を確実に検出することができる。
【００３３】
また、本発明の別の態様のハードディスク記録装置は、ハードディスク本体をフローティング状態で外側ケース内に収納したリムーバブルハードディスクを記録対象としたハードディスク記録装置であって、前記外側ケースを固定状態で装着するディスク装着部と、前記ディスク装着部に前記外側ケースが装着された状態で前記外側ケースに収納された前記ハードディスク本体に接続される接続コネクタを支持するコネクタ支持部材と、前記コネクタ支持部材に設けられ、前記外側ケースに備えられたライトプロテクトの指示部材を検出するライトプロテクト検出機構とを備え、前記ライトプロテクト検出機構は、前記指示部材に押されて移動するように配置されたプッシュ部材と、前記コネクタ支持部材に備えられたプッシュスイッチと、前記プッシュ部材の移動動作を前記プッシュスイッチに伝達するてこ機構とを有し、前記てこ機構のてこ比は、前記プッシュ部材のストロークを縮小して前記プッシュスイッチに伝達するように設定されている。
【００３４】
この構成は、指示部材の位置誤差に対応してプッシュ部材のストロークを大きくしたときにプッシュスイッチの許容ストロークをオーバーするといった問題に好適に対処する。この構成により、プッシュスイッチに加えて、てこ機構を利用してプッシュ部材の移動が検出される。てこ機構のてこ比が、プッシュ部材の移動量を縮小してプッシュスイッチに伝達するように設定されるので、てこ機構の入力側のストロークより出力側のストロークが小さくなる。したがって、指示部材の位置誤差に対応するためにプッシュ部材のストロークが大きく設定されていても、てこ機構の出力側のストロークをプッシュスイッチの小さな許容ストローク範囲に入れることができる。これにより、フローティングタイプのリムーバブルハードディスクを採用する場合にもライトプロテクトの指示部材を確実に検出することができる。
【００３５】
なお、上記別の態様は、プッシュ部材のストロークを小さしてプッシュスイッチに伝達するてこ機構に特徴を有するものであり、この態様では、プッシュ部材がコネクタ支持部材を貫通しなくてもよく、また、プッシュ部材の検出機構はコネクタ支持部材の背面でない場所に設けられてもよい。
【００３６】
また、本発明のハードディスク記録装置において、前記プッシュ部材のストロークと前記てこ機構のてこ比は、前記プッシュ部材と前記指示部材の相対的な位置誤差よりも前記ストロークが大きく、かつ、前記プッシュ部材と前記指示部材が最も近接した状態および最も隔離した状態にそれぞれ対応する前記プッシュ部材のストローク最大値およびストローク最小値が前記てこ比に応じて縮小されて前記プッシュスイッチの許容ストローク範囲に入るように設定されている。
【００３７】
この構成により、指示部材の位置誤差が大きくても指示部材とプッシュ部材を確実に接触させることができる。そして、上記の確実な接触のためにプッシュ部材のストロークが大きく設定されていても、てこ機構の出力側のストロークをプッシュスイッチの小さな許容ストローク範囲に入れることができる。こうして、フローティングタイプのリムーバブルハードディスクを採用する場合にもライトプロテクトの指示部材を確実に検出することができる。
【発明の効果】
【００３８】
本発明は、上記のような貫通プッシュ部材と背面検出機構でライトプロテクト検出機構を構成したことにより、コネクタ支持部材の背面側の空間を利用して指示部材の検出機構を備えることができ、これにより、指示部材の検出機構のサイズを大きくでき、フローティングタイプのリムーバブルハードディスクで指示部材の位置誤差が大きくても指示部材を確実に検出することができるという効果を有するハードディスク記録装置を提供することができる。
【発明を実施するための最良の形態】
【００３９】
以下、本発明の実施の形態のハードディスク記録装置について、図面を用いて説明する。
【００４０】
本発明の第１の実施の形態のハードディスク記録装置を図１〜図４に示す。図１〜図４は、ハードディスク記録装置１をリムーバブルハードディスク３と共に示している。図１は、ディスク装着方向に沿って手前側から見た斜視図であり、図２は、ディスク装着方向に沿って奥側から見た図であり、図３は、模式的な断面図であり、図４は、ハードディスク記録装置１の概略を示すブロック図である。ハードディスク記録装置１は例えば画像記録装置である。
【００４１】
まず、図４を参照すると、リムーバブルハードディスク３は、ハードディスク記録装置１のディスク装着部５に装着される。ディスク装着部５は例えばディスクスロットで構成される。ディスク装着部５は、機器フロント面から簡単にリムーバブルハードディスク３を交換できる構造を有することが好適である。また、図示されないが、複数のディスク装着部５（例えば２つのディスクスロット）が好適に設けられる。
【００４２】
ディスクコントローラ５１は、リムーバブルハードディスク３を制御するためのハードウエア構成であり、ＡＴＡバスでＡＴＡインターフェース５２と接続される。また、ライトプロテクト検出部５３は、リムーバブルハードディスク３に備えられたライトプロテクトスイッチ５４の状態を検出する構成である。フロント操作部５５は、機器前面に設けられたボタン等の操作部材である。
【００４３】
ディスクコントローラ部５１、ライトプロテクト検出部５３およびフロント操作部５５はメイン制御部５６に接続されている。より詳細には、ディスクコントローラ部５１はバスを介してメイン制御部５６に接続される。また、ライトプロテクト検出部５３およびフロント操作部５５はレジスタ部およびバスを介してメイン制御部５６に接続される。
【００４４】
メイン制御部５６はＣＰＵ等で構成されるマイクロプロセッサであり、機器全体を制御する。メイン制御部５６は、ディスクコントローラ部５１を介してリムーバブルハードディスク３の録画、再生等を制御する。また、メイン制御部５６は、フロント操作部５５から入力されるユーザの指示に従って動作する。さらに、メイン制御部５６は、ライトプロテクト検出部５３から入力されるライトプロテクトスイッチ５４の検出結果に応じてリムーバブルハードディスク３への書込禁止／許可の制御を行う。
【００４５】
次に、図１〜図３を参照し、ライトプロテクト検出関連の構成について説明する。図１〜図３では、本発明に関連する主要な構成を示しており、その他の構成は省略されている。
【００４６】
リムーバブルハードディスク３は、前述したように、ハードディスク記録装置１のディスク装着部５に装着される。リムーバブルハードディスク３は、フローティングタイプであり、ハードディスク本体７をフローティング状態で外側ケース９内に収納した構造を有する。フローティング状態は、ハードディスク本体７と外側ケース９の間に介在するラバー等の緩衝材によって実現される。リムーバブルハードディスク３の装着状態では、外側ケース７がハードディスク記録装置１のディスク装着部５に固定されており、したがって、ハードディスク本体７は装着時もフローティング状態にある。
【００４７】
ハードディスク本体７の殆どの部分は外側ケース９に隠れている。ただし、ハードディスク本体７のディスク側コネクタ１１は、外側ケース９の一の外面１３の中央部で露出している（ディスク側コネクタ１１は図４のＡＴＡインターフェース５２に対応する）。ディスク側コネクタ１１は、ハードディスク記録装置１側の接続コネクタ１５と接続される。そして、接続コネクタ１５は、コネクタ支持部材であるコネクタ基板１７に支持されている。このコネクタ基板１７は、図示のように、外側ケース９の外面１３（ディスク側コネクタ１１が設けられた面）と対向している。
【００４８】
ライトプロテクト関連の構成としては、ＷＰタブ１９がリムーバブルハードディスク３の外側ケース９に備えられている（ＷＰタブ１９は図４のライトプロテクトスイッチ５４に相当する）。ＷＰタブ１９は、ディスク側コネクタ１１の近傍にて、外側ケース９の外面１３に備えられている。ＷＰタブ１９は、ライトプロテクトの指示部材の一例であり、書込禁止位置と書込許可位置の間で手動によりスライド可能な部材である。また、ＷＰタブ１９の裏側には凹部が設けられている。
【００４９】
一方、ハードディスク記録装置１側では、ライトプロテクト検出機構２１がコネクタ基板１７に備えられている（ライトプロテクト検出機構２１は図４のライトプロテクト検出部５３に対応する）。ライトプロテクト検出機構２１は、ＷＰタブ１９を検出する構成であり、ＷＰ１９に対応する位置に備えられている。ＷＰタブ１９がディスク側コネクタ１１の脇の近傍に位置しているので、ライトプロテクト検出機構２１もコネクタ基板１７上で接続コネクタ１５の脇の近傍に位置している。
【００５０】
より詳細には、ライトプロテクト検出機構２１は、ＷＰタブ１９が書込禁止位置と書込許可位置の一方に位置するときのみＷＰタブ１９を検出する。ここでは、例として、ライトプロテクト検出機構２１が書込許可位置のＷＰタブ１９を検出する場合を説明する。この場合、ライトプロテクト検出機構２１は、書込許可位置のＷＰタブ１９に対応する位置に備えられる。ＷＰタブ１９が書込禁止位置にあるときは、ＷＰタブ１９の裏側の凹部に下記の貫通プッシュピン２３が入り込むので、ＷＰタブ１９は検出されない。
【００５１】
ライトプロテクト検出機構２１は、貫通プッシュピン２３と背面検出機構２５で構成されている。貫通プッシュピン２３は、本発明の貫通プッシュ部材の一形態である。貫通プッシュピン２３は、書込許可位置のＷＰタブ１９により押されるように配置されている。貫通プッシュピン２３は、タブ側２７からコネクタ基板１７を貫通して背面側２９へと延びている。タブ側２７は、コネクタ基板１７に対してＷＰタブ１９の側であり、言い換えれば、リムーバブルハードディスク３およびその装着空間の側である。背面側２９は、タブ側２７の反対側である。背面側２９は、リムーバブルハードディスク３から見て、コネクタ基板１７の向こう側である。そして、この背面側２９に背面検出機構２５が備えられている。背面検出機構２５は、貫通プッシュ部材２３の移動動作を背面側２９にて検出するように構成されている。
【００５２】
次に、図５〜図７を参照して、背面検出機構２５の構成について説明する。図５は背面検出機構２５を横方向から見た図である。また、図６および図７は、貫通プッシュピン２３がＷＰ１９に押されて移動する前後の断面図である。背面検出機構２５は、概略的には、プッシュスイッチ３１とてこ機構３３で構成されている。
【００５３】
プッシュスイッチ３１は、コネクタ基板１７の背面側２９の面上で、貫通プッシュピン２３からずれた位置に実装されている。プッシュスイッチ３１は、コネクタ基板１７の回路に電気的に接続されている。そして、プッシュスイッチ３１が押されると、ＷＰタブ１９の検出信号がコネクタ基板１７を介してハードディスク記録装置１のメイン制御部に送られ、メイン制御部での書込禁止／許可の判断に使用される。
【００５４】
てこ機構３３は、貫通プッシュ部材２３の移動動作をプッシュスイッチ３１に伝達する機構であり、ケース３５とシーソーレバー３７で構成されている。ケース３５は、コネクタ基板１７の背面側２９にねじで固定されている。そして、シーソーレバー３７が、ケース３５に支点３９で揺動可能に支持されており、これによりシーソー構造のてこ機構３３が実現されている。そして、シーソーレバー３７の一端が貫通プッシュピン２３の先端に位置し、シーソーレバー３７の他端がプッシュスイッチ３１の先端に位置しており、これにより、貫通プッシュピン２３の移動がプッシュスイッチ３１に伝えられる。
【００５５】
ここで、図示のように、てこ機構３３においては、支点３９から貫通プッシュピン２３までの距離Ｌ１よりも、支点３９からプッシュスイッチ３１までの距離Ｌ２が短く設定されている（Ｌ１＞Ｌ２）。これにより、てこ比（Ｌ１／Ｌ２）が１以上に設定され、このてこ比により、貫通プッシュピン２３のストロークが小さくなってプッシュスイッチ３１に伝達される。
【００５６】
また、ケース３５は、貫通プッシュピン２３をコネクタ基板１７に対して直角方向にガイドするように構成されている。より詳細には、貫通プッシュピン２３は、コネクタ基板１７の穴４１を通り抜けて延びて、さらにケース３５の穴４３を通り抜けている。これら穴４１、４３により貫通プッシュピン２３がガイドされる。
【００５７】
さらに、貫通プッシュピン２３の回りにはリターンスプリング４５が嵌められている。リターンスプリング４５の一端は、貫通プッシュピン２３の凸部４７に接しており、他端はケース３５の壁面４９に接している。リターンスプリング４５は、貫通プッシュピン２３をタブ側２７へ向けて付勢している。
【００５８】
次に、図８を参照し、本実施の形態の原理を説明し、さらに、貫通プッシュピン２３のストロークとてこ機構３３のてこ比の設定について説明する。
【００５９】
図８において、ピンストロークＳｐは、貫通プッシュピン２３のストロークであり、スイッチストロークＳｓはプッシュスイッチ３１のストロークである。Ｌ１は、支点３９から通プッシュピン２３までの距離であり、Ｌ２は支点３９からプッシュスイッチ３１までの距離であり、したがって、てこ機構３３のてこ比ｋは、ｋ＝Ｌ１／Ｌ２である。また、±Ｅｔは、ライトプロテクト検出機構２１に対するＷＰタブ１９の相対的な位置誤差であり、これをタブ位置誤差と呼ぶ。
【００６０】
まず、図８のタブ位置誤差Ｅｔについて説明する。本実施の形態では、フローティングタイプのリムーバブルハードディスク３を採用しているので、ライトプロテクト検出機構２１とＷＰタブ１９がフローティングの関係にあり、タブ位置誤差Ｅｔが大きくなる（背景技術に関連して述べたように、絶対的な位置誤差が大きいのはフローティング状態にあるライトプロテクト検出機構２１であるが、問題になるのはライトプロテクト検出機構２１に対するＷＰタブ１９の相対的な位置なので、ここではタブ位置誤差Ｅｔという用語を用いる）。
【００６１】
タブ位置誤差Ｅｔが大きいと、ＷＰタブ１９が貫通プッシュピン２３に近かったり、遠かったりする。ＷＰタブ１９を確実に検出するためには、ＷＰタブ１９がライトプロテクト検出機構２１から最も遠いときにも、貫通プッシュピン２３がＷＰタブ１９に接触し、押される必要がある。そこで、本実施の形態では、ピンストロークＳｐをタブ位置誤差Ｅｔより大きく設定することで、ＷＰタブ１９と貫通プッシュピン２３を確実に接触させる。
【００６２】
ただし、ピンストロークＳｐを大きくすると、以下のように、貫通プッシュピン２３で直接プッシュスイッチ３１を押せなくなる。プッシュスイッチ３１は、基板への実装等により備えられる小型の部品であり、スイッチストロークＳｓの許容範囲は予め決められており、比較的狭く、上述したタブ位置誤差Ｅｔと同等以下である。したがって、タブ位置誤差Ｅｔより大きくなるようにピンストロークＳｐを設定すると、ピンストロークＳｐがプッシュスイッチ３１の許容ストローク範囲をオーバーするので、貫通プッシュピン２３でプッシュスイッチ３１を直接押すことはできない。
【００６３】
そこで、本実施の形態では、図８に示すように、てこ機構３３がＬ１＞Ｌ２に設定されて、てこ機構３３によりピンストロークＳｐが小さく変換される。これにより、てこ機構３３の出力側のストロークがピンストロークＳｐより小さくなり、スイッチストロークＳｓの要件を満たすことができる。
【００６４】
このようにして、本実施の形態は、フローティングタイプのリムーバブルハードディスク３を採用しており、タブ位置誤差Ｅｔが大きくても確実に貫通プッシュピン２３がＷＰタブ１９に押されて動くようにピンストロークＳｐを大きく設定しているにも拘わらず、ピンストロークＳｐを縮小してプッシュスイッチ３１に伝えるてこ機構３３を設けたことにより、プッシュスイッチ３１を使ったライトプロテクト検出を実現できている。
【００６５】
次に、図８を参照し、上述の原理に基づいたピンストロークＳｐとてこ比ｋの適切な設定について説明する。てこ比ｋは、Ｌ１／Ｌ２である。
【００６６】
まず、上述したように、ピンストロークＳｐが確実にＷＰタブ１９に押されて移動するためには、ピンストロークＳｐがタブ位置誤差Ｅｔより大きい必要があり、下記条件が満たされる必要がある。
Ｓp−Ｅt ＞ ０  （条件１）
【００６７】
次に、タブ位置誤差Ｅｔを考慮すると、ピンストローク最大値Ｓｐｍａｘおよびピンストローク最小値Ｓｐｍｉｎが以下の式で表される。
Ｓpmax ＝ Ｓp ＋ Ｅt
Ｓpmin ＝ Ｓp − Ｅt
【００６８】
ここで、スイッチストロークＳｓの許容範囲の上限および下限をそれぞれＳｓｍａｘおよびＳｓｍｉｎとすると、スイッチストロークの許容ストローク範囲内のスイッチ動作を達成するためには、下記の条件が満たされる必要がある。
Ｓsmax ≧ Ｓpmax ÷ k ＝ ( Ｓp＋Ｅt ) ÷ ｋ
Ｓsmin ≦ Ｓpmin ÷ k ＝ ( Ｓp−Ｅt ) ÷ ｋ  （条件２）
【００６９】
ピンストロークＳｐとてこ比ｋは、上記の条件１、２が同時に満たされるように設定されればよい。タブ位置誤差Ｅｔと許容ストローク範囲Ｓｓｍａｘ〜Ｓｓｍｉｎは予め決められるので、ピンストロークＳｐとてこ比ｋも決定できる。貫通プッシュピン２３は、決定したピンストロークＳｐに応じた距離だけ、装着状態のタブ位置を超えて突き出すように設けられる。また、決定したてこ比ｋに応じてシーソーレバー３７の寸法Ｌ１、Ｌ２が設定される。
【００７０】
なお、上記の説明は、図８の模式図を使用しており、シーソーレバー３７と貫通プッシュピン２３の隙間ｄｐ（図６参照）まで考慮されておらず、また、シーソーレバー３７とプッシュスイッチ３１の隙間ｄｓ（図６）も考慮されていない。これら隙間がある場合には、隙間も考慮して各部の寸法等が設定される。具体的には、隙間ｄｐの分だけピンストロークＳｐが長く設定され、隙間ｄｓを加味しててこ比ｋが設定される。
【００７１】
その他にも、上記の説明では本発明に関連するタブ位置誤差Ｅｔに対応するために必要な設定事項について述べたが、実際の装置ではタブ位置誤差Ｅｔ以外の各部の寸法誤差も考慮されるべきであることはもちろんである。
【００７２】
以上に、本実施の形態に係るハードディスク記録装置１の構成について説明した。次に、ハードディスク記録装置１の動作について説明する。
【００７３】
リムーバブルハードディスク３がハードディスク記録装置１のディスク装着部５に装着されると、ハードディスク本体７のディスク側コネクタ１１が、ハードディスク記録装置１の接続コネクタ１５に接続される。このとき、ＷＰタブ１９が書込許可位置に位置していれば、ＷＰタブ１９によりライトプロテクト検出機構２１の貫通プッシュピン２３が押される。
【００７４】
貫通プッシュピン２３はコネクタ基板１７を突き抜けており、コネクタ基板１７の背面側２９で貫通プッシュピン２３の先端が動く。貫通プッシュピン２３の先端により、てこ機構３３のシーソーレバー３７が一端が押され、シーソーレバー３７は支点３９を中心に回動し、シーソーレバー３７の他端がプッシュスイッチ３１を押す。これにより、ＷＰタブ１９の検知信号がプッシュスイッチ３１から出力される。
【００７５】
上記において、貫通プッシュピン２３のピンストロークＳｐは、タブ位置誤差Ｅｔより大きく設定されており、プッシュスイッチ３１の許容ストローク範囲をオーバーする。しかし、てこ機構３３により貫通プッシュピン２３のピンストロークＳｐが縮小されてプッシュスイッチ３１に伝えられるので、プッシュスイッチ３１は許容ストローク範囲内のストロークで押されて、正常に機能する。
【００７６】
また、リムーバブルハードディスク３がハードディスク記録装置１のディスク装着部５から抜き取られると、ＷＰタブ１９は貫通プッシュピン２３から離れる。この場合、貫通プッシュピン２３はリターンスプリング４５に付勢されて、ディスク装着部５の方向へ戻る。
【００７７】
以上に本発明の第１の実施の形態に係るハードディスク記録装置１の構成について説明した。本実施の形態では、コネクタ基板１７、ＷＰタブ１９および貫通プッシュピン２３が、それぞれ、本発明のコネクタ支持部材、ライトプロテクト指示部材および貫通プッシュ部材に相当する。本実施の形態によれば、貫通プッシュピン２３がコネクタ基板１７を貫通して設けられ、そして、コネクタ基板１７の背面側２９に配置された背面検出機構２５により貫通プッシュピン２３の移動動作が検出される。このようにして、コネクタ基板１７とリムーバブルハードディスク３の間の狭い隙間でなく、コネクタ基板１７の背面側２９の空間を利用して貫通プッシュピン２３の検出機構が備えられる。これにより、貫通プッシュピン２３の検出機構のサイズを大きくでき、貫通プッシュピン２３の位置誤差が大きくても貫通プッシュピン２３を確実に検出することが可能になる。
【００７８】
また、本実施の形態によれば、プッシュスイッチ３１とてこ機構３３を利用して貫通プッシュピン２３の移動が検出される。てこ機構３３のてこ比ｋが、貫通プッシュピン２３の移動量を縮小してプッシュスイッチ３１に伝達するように設定されるので、てこ機構３３の入力側のストロークより出力側のストロークが小さくなる。したがって、ＷＰタブ１９の位置誤差に対応するために貫通プッシュピン２３のストロークが大きく設定されていても、てこ機構３３の出力側のストロークをプッシュスイッチの小さな許容ストローク範囲に入れることができる。これにより、フローティングタイプのリムーバブルハードディスク３を採用する場合にもＷＰタブ１９を確実に検出することができる。
【００７９】
また、本実施の形態によれば、貫通プッシュピン２３のストロークＳｐとてこ機構３３のてこ比ｋとは、貫通プッシュピン２３とＷＰタブ１９の相対的な位置誤差ＥｔよりもストロークＳｐが大きく、かつ、貫通プッシュピン２３とＷＰタブ１９が最も近接した状態および最も隔離した状態にそれぞれ対応するリムーバブルハードディスク３のストローク最大値Ｓｐｍａｘおよびストローク最小値Ｓｐｍｉｎがてこ比ｋに応じて縮小されてプッシュスイッチの許容ストローク範囲に入るように設定される。この構成により、ＷＰタブ１９の位置誤差が大きくてもＷＰタブ１９と貫通プッシュピン２３を確実に接触させることができる。そして、上記の確実な接触のために貫通プッシュピン２３のストロークＳｐが大きく設定されていても、てこ機構３３の出力側のストロークをプッシュスイッチ３１の小さな許容ストローク範囲に入れることができる。こうして、フローティングタイプのリムーバブルハードディスク３を採用する場合にもＷＰタブ１９を確実に検出することができる。
【００８０】
次に、本発明の第２の実施の形態に係るハードディスク記録装置を図９〜図１２に示す。第１の実施の形態と第２の実施の形態では、貫通プッシュピンの動きを検出する背面検出機構の構成が異なる。以下、第１の実施の形態と共通の事項の説明を省略し、主として第１の実施の形態と相違する事項について説明する。
【００８１】
図９〜図１２は、本実施の形態のハードディスク記録装置６１におけるライトプロテクト検出機構６３の背面検出機構６５を示している。図９は、コネクタ基板１７の背面側２９から背面検出機構６５を見た斜視図である。図１０および図１１は、貫通プッシュピン２３がＷＰタブ１９に押されて移動する前後の背面検出機構６５を示している。また、図１２は、貫通プッシュピン２３を通るラインで背面検出機構６５を切断した断面図である。
【００８２】
図９〜図１２において、背面検出機構６５は、遮光レバー６７とフォトインタラプタ６９で構成されている。
【００８３】
遮光レバー６７は、貫通プッシュピン２３にアーム７１で連結されており、貫通プッシュピン２３と共に移動する。遮光レバー６７は、貫通プッシュピン２３からフォトインタラプタ６９へ向かって延びている。フォトインタラプタ６９は、コネクタ基板１７の背面側２９の面上で、貫通プッシュピン２３からずれた位置に実装されている。
【００８４】
図１０に示すように、遮光レバー６７の先端は、貫通プッシュピン２３がＷＰタブ１９に押されていないときは、フォトインタラプタ６９の凹部７３に嵌っている。そして、図１１に示すように、貫通プッシュピン２３がＷＰタブ１９に押されると、遮光レバー６７は凹部７３から抜け出た位置まで移動する。フォトインタラプタ６９は、凹部７３における物体の有無を検出するセンサであり、したがって、凹部７３からの遮光レバー６７の出入を検出でき、これにより遮光レバー６７の移動動作を検出することができる。
【００８５】
フォトインタラプタ６９は、コネクタ基板１７の回路に電気的に接続されている。そして、フォトインタラプタ６９が遮光レバー６７の移動動作を検出すると、この検出信号がコネクタ基板１７を介してハードディスク記録装置１のメイン制御部に送られ、メイン制御部での書込禁止／許可の判断に使用される。
【００８６】
また、図１２に示されるように、背面検出機構６５はケース７５で覆われている（ケース７５は、図９〜図１１では省略されている）。ケース７５は、第１の実施の形態と同様に、貫通プッシュピン２３をコネクタ基板１７に対して垂直方向にガイドする機能も有する。また、ケース７５には、貫通プッシュピン２３を付勢するリターンスプリング４５も収容されている。
【００８７】
次に、本実施の形態における貫通プッシュピン２３のピンストロークＳｐの設定について説明する。
【００８８】
まず、第１の実施の形態と同様に、ピンストロークＳｐは、タブ位置誤差Ｅｔよりも大きく設定される。これは、前述したように、ＷＰタブ１９が最も遠くにあるときでもＷＰタブ１９と貫通プッシュピン２３を確実に接触させるためである。
【００８９】
さらに、ピンストロークＳｐは、下記の点を考慮して設定される。ピンストロークＳｐの最小値Ｓｐｍｉｎは、Ｓｐ−Ｅｔである。これは、貫通プッシュピン２３とＷＰタブ１９が最も離れた時に対応している。このピンストローク最小値Ｓｐｍｉｎが、フォトインタラプタ６９で検出可能な最小移動量以上になる必要がある。この条件が満たされるように、ピンストロークＳｐが設定される。より詳細には、遮光レバー６７の移動量が小さすぎると、遮光レバー６７がフォトインタラプタ６９から抜け出ることができず、フォトインタラプタ６９が遮光レバー６７の移動を検知できない。このようなことが無いように、フォトインタラプタ６９が遮光レバー６７の移動を確実に検出できる距離だけ遮光レバー６７が動くようにピンストロークＳｐが設定される。
【００９０】
以上に、本実施の形態に係るハードディスク記録装置６１の構成について説明した。次に、ハードディスク記録装置６１の動作を説明する。リムーバブルハードディスク３がハードディスク記録装置１のディスク装着部５に装着されて、ＷＰタブ１９により貫通プッシュピン２３が押されると、貫通プッシュピン２３と共に遮光レバー６７が移動し、そして、遮光レバー６７がフォトインタラプタ６９の凹部７３から抜け出る。この遮光レバー６７の動作がフォトインタラプタ６９により検知されて、検出信号がフォトインタラプタ６９から出力される。この検出信号がＷＰタブ１９の検出結果として処理される。
【００９１】
なお、上述のようにピンストロークＳｐを設定してあるので、貫通プッシュピン２３が確実にＷＰタブ１９に接触し、かつ、遮光レバー６７の移動が確実に検出される。
【００９２】
また、リムーバブルハードディスク３がディスク装着部５から取り外されると、貫通プッシュピン２３がリターンスプリング４５に付勢されて元に戻り、遮光レバー６７もフォトインタラプタ６９の凹部７３に戻る。
【００９３】
以上に本発明の第２の実施の形態に係るハードディスク記録装置６１について説明した。本実施の形態によれば、遮光レバー６７とフォトインタラプタ６９を利用して貫通プッシュピン２３の移動が検出される。遮光レバー６７のストロークが大きくても、フォトインタラプタ６９は遮光レバー６７の移動を検出できる。したがって、ＷＰタブ１９の位置誤差に対応するために貫通プッシュピン２３のストロークが大きく設定されていても、貫通プッシュピン２３と一緒に動く遮光レバー６７の移動を検出できる。これにより、フローティングタイプのリムーバブルハードディスク３を採用する場合にもＷＰタブ１９を確実に検出することができる。
【００９４】
また、本実施の形態によれば、貫通プッシュピン２３のストロークは、貫通プッシュピン２３とＷＰタブ１９の相対的な位置誤差よりも大きく、かつ、貫通プッシュピン２３とＷＰタブ１９が最も隔離した状態に対応するストローク最小値がフォトインタラプタ６９で検出可能な最小移動量以上になるように設定されている。この構成により、ＷＰタブ１９の位置誤差が大きくてもＷＰタブ１９と貫通プッシュピン２３を確実に接触させることができる。そして、貫通プッシュピン２３と一緒に動く遮光レバー６７の移動をフォトインタラプタ６９で検出できる。こうして、フローティングタイプのリムーバブルハードディスク３を採用する場合にもＷＰタブ１９を確実に検出することができる。
【００９５】
次に、本発明の第３の実施の形態に係るハードディスク記録装置を図１３〜図１５に示す。第１の実施の形態と第３の実施の形態では、貫通プッシュピンの動きを検出する背面検出機構の構成が異なる。以下、第１の実施の形態と共通の事項の説明を省略し、主として第１の実施の形態と相違する事項について説明する。
【００９６】
図１３〜図１５は、本実施の形態のハードディスク記録装置８１におけるライトプロテクト検出機構８３の背面検出機構８５を示している。図１３は、コネクタ基板１７の背面側２９から背面検出機構８５を見た斜視図である。図１４および図１５は、貫通プッシュピン２３がＷＰタブ１９に押されて移動する前後の背面検出機構８５を示している。
【００９７】
図１３〜図１５において、背面検出機構８５は、磁石８７と磁気センサ８９で構成されている。
【００９８】
磁石８７は、磁石ホールドレバー９１で貫通プッシュピン２３と連結されており、コネクタ基板１７の背面側２９にて、貫通プッシュピン２３と共に移動動作を行う。磁石ホールドレバー９１は磁気センサ８９に向かって延びている。磁気センサ８７は、コネクタ基板１７の背面側２９の面上で、貫通プッシュピン２３からずれた位置に実装されている。
【００９９】
磁石８７は、磁石ホールドレバー９１の端部に保持されており、磁気センサ８９と対向している。図１４に示すように、磁石８７は、貫通プッシュピン２３がＷＰタブ１９に押されていないときは、磁気センサ８９に近接している。そして、図１５に示すように、貫通プッシュピン２３がＷＰタブ１９に押されると、磁石８７は磁気センサ８９から離れる。磁気センサ８９は例えばホール素子で構成され、磁石８７の磁気を検出する。したがって、磁気センサ８９は、磁石８７が近接しているか否かを検出でき、これにより、磁石８７の移動動作を検出することができる。
【０１００】
磁気センサ８９は、コネクタ基板１７の回路に電気的に接続されている。そして、磁気センサ８９の検出信号はコネクタ基板１７を介してハードディスク記録装置１のメイン制御部に送られ、メイン制御部での書込禁止／許可の判断に使用される。
【０１０１】
また、図示のように、コネクタ基板１７にはケース９３が取り付けられている。ケース９３は、第１の実施の形態と同様に、貫通プッシュピン２３をコネクタ基板１７に対して垂直方向にガイドする機能も有する。また、ケース９３には、貫通プッシュピン２３を付勢するリターンスプリング４５も収容されている。
【０１０２】
次に、本実施の形態における貫通プッシュピン２３のピンストロークＳｐの設定について説明する。
【０１０３】
まず、第１の実施の形態と同様に、ピンストロークＳｐは、タブ位置誤差Ｅｔよりも大きく設定される。これは、前述したように、ＷＰタブ１９が最も遠くにあるときでもＷＰタブ１９と貫通プッシュピン２３を確実に接触させるためである。
【０１０４】
さらに、ピンストロークＳｐは、下記の点を考慮して設定される。ピンストロークＳｐの最小値Ｓｐｍｉｎは、Ｓｐ−Ｅｔである。これは、貫通プッシュピン２３とＷＰタブ１９が最も離れた時に対応している。このピンストローク最小値Ｓｐｍｉｎが、磁気センサ８９で検出可能な最小移動量以上になる必要がある。この条件が満たされるように、ピンストロークＳｐが設定される。より詳細には、磁石８７が遠くなるほど磁気センサ８９の検出値が小さくなる。そこで、磁石８７が離れたことを確実に検出できる適当な閾値が設定され、この閾値に対応する距離以上に磁石８７が移動するようにピンストロークＳｐが設定される。
【０１０５】
以上に、本実施の形態に係るハードディスク記録装置８１の構成について説明した。次に、ハードディスク記録装置８１の動作を説明する。リムーバブルハードディスク３がハードディスク記録装置１のディスク装着部５に装着されて、ＷＰタブ１９により貫通プッシュピン２３が押されると、貫通プッシュピン２３と共に磁石ホールドレバー９１が移動し、磁石８７も移動する。そして、磁石８７が磁気センサ８９から離れ、この磁石８７の動作が磁気センサ８９により検出される。
【０１０６】
なお、上述のようにピンストロークＳｐを設定してあるので、貫通プッシュピン２３が確実にＷＰタブ１９に接触し、かつ、磁石８７の移動が確実に検出される。
【０１０７】
また、リムーバブルハードディスク３がディスク装着部５から取り外されると、貫通プッシュピン２３がリターンスプリング４５に付勢されて元に戻り、磁石８７も磁気センサ８９に近接した元の位置に戻る。
【０１０８】
以上に本発明の第３の実施の形態に係るハードディスク記録装置８１について説明した。本実施の形態によれば、磁石８７と磁気センサ８９を利用して貫通プッシュピン２３の移動が検出される。磁石８７のストロークが大きくても、磁気センサ８９は磁石８７の移動を検出できる。したがって、ＷＰタブ１９の位置誤差に対応するために貫通プッシュピン２３のストロークが大きく設定されていても、貫通プッシュピン２３と一緒に動く磁石８７の移動を検出できる。これにより、フローティングタイプのリムーバブルハードディスク３を採用する場合にもＷＰタブ１９を確実に検出することができる。
【０１０９】
また、本実施の形態によれば、貫通プッシュピン２３のストロークは、貫通プッシュピン２３とＷＰタブ１９の相対的な位置誤差よりも大きく、かつ、貫通プッシュピン２３とＷＰタブ１９が最も隔離した状態に対応するストローク最小値が磁気センサ８９で検出可能な最小移動量以上になるように設定されている。この構成により、貫通プッシュピン２３の位置誤差が大きくてもＷＰタブ１９と貫通プッシュピン２３を確実に接触させることができる。そして、貫通プッシュピン２３と一緒に動く磁石８７の移動を磁気センサ８９で検出できる。こうして、フローティングタイプのリムーバブルハードディスク３を採用する場合にもＷＰタブ１９を確実に検出することができる。
【０１１０】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【０１１１】
以上のように、本発明にかかるハードディスク記録装置は、ライトプロテクトの指示部材を確実に検出できるという効果を有し、画像用ハードディスク記録装置等として有用である。
【図面の簡単な説明】
【０１１２】
【図１】本発明の第１の実施の形態におけるハードディスク記録装置の斜視図
【図２】本発明の第１の実施の形態におけるハードディスク記録装置の斜視図
【図３】本発明の第１の実施の形態におけるハードディスク記録装置を示す図
【図４】ハードディスク記録装置の概略構成を示す図
【図５】ライトプロテクト検出機構の背面検出機構を示す図
【図６】貫通プッシュピンが押されていない状態における背面検出機構を示す図
【図７】貫通プッシュピンが押された状態における背面検出機構を示す図
【図８】ピンストロークとてこ機構の設定について説明する図
【図９】本発明の第２の実施の形態におけるハードディスク記録装置の斜視図
【図１０】貫通プッシュピンが押されていない状態における背面検出機構を示す図
【図１１】貫通プッシュピンが押された状態における背面検出機構を示す図
【図１２】ライトプロテクト検出機構の背面検出機構を示す断面図
【図１３】本発明の第３の実施の形態におけるハードディスク記録装置の斜視図
【図１４】貫通プッシュピンが押されていない状態における背面検出機構を示す図
【図１５】貫通プッシュピンが押された状態における背面検出機構を示す図
【図１６】フローティングタイプのリムーバブルハードディスクの例を示す図
【図１７】従来のライトプロテクト検出機構をフローティングタイプのリムーバブルハードディスクに適用した場合に生じる問題点を説明する図
【符号の説明】
【０１１３】
１  ハードディスク記録装置
３  リムーバブルハードディスク
５  ディスク装着部
７  ハードディスク本体
９  外側ケース
１１  ディスク側コネクタ
１３  外面
１５  接続コネクタ
１７  コネクタ基板
１９  ＷＰタブ
２１  ライトプロテクト検出機構
２３  貫通プッシュピン
２５  背面検出機構
２７  タブ側
２９  背面側
３１  プッシュスイッチ
３３  てこ機構
３５  ケース
３７  シーソーレバー
３９  支点
【図１】
2008090949.tif 000003
【図２】
2008090949.tif 000004
【図３】
2008090949.tif 000005
【図４】
2008090949.tif 000006
【図５】
2008090949.tif 000007
【図６】
2008090949.tif 000008
【図７】
2008090949.tif 000009
【図８】
2008090949.tif 000010
【図９】
2008090949.tif 000011
【図１０】
2008090949.tif 000012
【図１１】
2008090949.tif 000013
【図１２】
2008090949.tif 000014
【図１３】
2008090949.tif 000015
【図１４】
2008090949.tif 000016
【図１５】
2008090949.tif 000017
【図１６】
2008090949.tif 000018
【図１７】
2008090949.tif 000019